(57)【要約】【課題】鞄の蓋部を鞄の本体に係止するための鞄用摘み錠であって、鞄の蓋部に設けられた係止金具を鞄の本体に設けられた係止座金にワンタッチで係止し、また解除することができ、しかも鞄に収容した物品の高さに応じて蓋部の係止金具の係止位置が変わるようにした鞄用摘み錠を提供する。【解決手段】鞄の蓋部２に固定した係止金具３を鞄の本体４に固定した係止座金５に係止する鞄用摘み錠であって、係止座金５の頭部６が係止金具３の連結穴２７の何れかの挿通穴２６に嵌り込んだ際に該係止座金５の頭部６が可動摘み２１の内側辺２９に係止され、また固定摘み２０と可動摘み２１とを同時に摘むことによって係止座金５の頭部６が可動摘み２１の内側辺の係止状態から解除されるようにした。【選択図】図１
2005323896.tif 000002
【特許請求の範囲】
【請求項１】
鞄の本体側には頂部に丸み又はテーパ形状を有する頭部と該頭部の下側に設けられた首部とを有する係止座金が固定されてなる一方、鞄の蓋部に固定された係止金具は一側に固定摘みを有すると共に、その反対側に設けられた開口から内方へ広がる隙間で隔てられた上板部と下板部との相対位置に前記係止座金の頭部を挿通可能な複数の挿通穴が前記鞄の蓋部の長さ方向につながる連結穴として形成され、前記隙間内に移動可能に設けられた可動摘みが、内蔵されたバネの弾性によって前記開口側へ付勢されると共に、前記可動摘みの内方に前記連結穴を開放する範囲で形成された貫通穴における前記固定摘み側の内側辺が、前記バネの自然状態において前記連結穴の各挿通穴の側方一部を遮るように形成されて成り、前記係止座金の頭部が前記係止金具の連結穴の何れかの挿通穴に嵌り込んだ際に該係止座金の頭部が前記可動摘みの内側辺に係止され、また前記固定摘みと前記可動摘みとを同時に摘むことによって前記係止座金の頭部が前記可動摘みの内側辺の係止状態から解除されるようにしたことを特徴とする鞄用摘み錠。
【請求項２】
前記可動摘みの貫通穴の内側辺が、前記下板部の側にテーパ状の傾斜辺を有することを特徴とする請求項１記載の鞄用摘み錠。
【請求項３】
前記下板部の連結穴の内周縁がテーパ状に形成されたことを特徴とする請求項１又は２記載の鞄用摘み錠。
【請求項４】
前記固定摘みと前記可動摘みの夫々の外側縁は、上下に長い形状であってその下方にて外方に湾曲してなる形状を有することを特徴とする請求項１、２又は３記載の鞄用摘み錠。
【請求項５】
前記可動摘みに固定されたネジの頭部が前記係止金具の下板部に形成された案内溝内の範囲で移動することによって、前記可動摘みの移動範囲が規制されるようにしたことを特徴とする請求項１、２、３又は４記載の鞄用摘み錠。
【発明の詳細な説明】
【技術分野】
【０００１】
本発明は、鞄の蓋部を鞄の本体にワンタッチで係止するための鞄用摘み錠に関する。
【背景技術】
【０００２】
従来、蓋部を有する鞄においては、この蓋部を鞄の本体側に係止することにより、蓋部が開くのを防止し、鞄に収容してある物品が飛び出さないようにしている。また、このような鞄において、蓋部を頻繁に開閉する必要がある場合、蓋部を本体側に係止する動作をワンタッチで行い、またその係止を確実に保持し、さらにその係止を容易に解除し得る係止金具を設けることが望ましい。
【０００３】
そのような係止金具の従来例として、特許文献１を挙げると、この文献の係止金具３０は、図１１又は図１２に示すように、鞄の本体３１に装着される第１の金具３２と、鞄の蓋部３３に装着される第２の金具３４とを有し、第１の金具３２には永久磁石３５が設けられ、その近傍には開口部３６が設けられている。また、この第１の金具３２の両側には上下方向に延びる係止片３７が設けられている。
【０００４】
さらに、第２の金具３４の裏面側には第１の金具３２の開口部３６に挿入可能な突起部３９と第１の金具３２の係止片３７が挿入可能な溝部４０とが設けられ、この溝部４０の端部と係合可能となるように、第１の金具３２の係止片３７には係合突起４１が設けられている。
【０００５】
このような構成により、蓋部３３側の第２の金具３４を本体３１側の第１の金具３２に近づけることによって、第１の金具３２の永久磁石３５が第２の金具３４を吸着する。この状態で、第１の金具３２の係止片３７の上側が第２の金具３４の溝部４０の上端部と係合状態となり、また第１の金具３２の係止片３７の下側が第２の金具３４の溝部４０の下端部と係合状態となり、鞄に衝撃が加わった場合でも、第２の金具３４は第１の金具３２から離れることなく、永久磁石３５の磁力によって所定位置に復帰するものである。
【特許文献１】特開２００３−１９９６１０号公報
【発明の開示】
【発明が解決しようとする課題】
【０００６】
上記の特許文献１の係止金具は、主構成として永久磁石の磁力による吸着作用を利用したものである。このように永久磁石の磁力を利用して、鞄の蓋を本体側に係止するようにした構造は、広く利用されているが、外部からの衝撃が加わると、永久磁石が吸着状態から離脱して外れてしまうという欠点がある。
【０００７】
そこで引用文献１の係止金具は、永久磁石を利用した場合の上記の欠点を補うために、永久磁石の周辺に他の係止構造を備える必要が生じ、構造が複雑になるという欠点があった。
【０００８】
一方、鞄の内部に収容した物品が鞄の上方から飛び出すような場合、鞄の蓋部の係止位置を変えることによって、蓋部の長さを調整する必要がある。このような要求に応える係止金具は、蓋部側の金具と本体側の金具との係止位置を変える必要があるが、そのような構造は、引用文献１では実現不可能である。
【０００９】
本発明は、このような事情に鑑みてなされたもので、鞄の蓋部を鞄の本体に係止するための鞄用摘み錠であって、鞄の蓋部に設けられた係止金具を鞄の本体に設けられた係止座金にワンタッチで係止し、また解除することができ、しかも鞄に収容した物品の高さに応じて蓋部の係止金具の係止位置が変わるようにした鞄用摘み錠を提供することを目的とするものである。
【課題を解決するための手段】
【００１０】
上記の目的を達成するために、本発明の請求項１の鞄用摘み錠は、鞄の本体側には頂部に丸み又はテーパ形状を有する頭部と該頭部の下側に設けられた首部とを有する係止座金が固定されてなる一方、鞄の蓋部に固定された係止金具は一側に固定摘みを有すると共に、その反対側に設けられた開口から内方へ広がる隙間で隔てられた上板部と下板部との相対位置に前記係止座金の頭部を挿通可能な複数の挿通穴が前記鞄の蓋部の長さ方向につながる連結穴として形成され、前記隙間内に移動可能に設けられた可動摘みが、内蔵されたバネの弾性によって前記開口側へ付勢されると共に、前記可動摘みの内方に前記連結穴を開放する範囲で形成された貫通穴における前記固定摘み側の内側辺が、前記バネの自然状態において前記連結穴の各挿通穴の側方一部を遮るように形成されて成り、前記係止座金の頭部が前記係止金具の連結穴の何れかの挿通穴に嵌り込んだ際に該係止座金の頭部が前記可動摘みの内側辺に係止され、また前記固定摘みと前記可動摘みとを同時に摘むことによって前記係止座金の頭部が前記可動摘みの内側辺の係止状態から解除されるようにしたことを特徴とする。
【００１１】
また、本発明の請求項２の鞄用摘み錠は、請求項１において、前記可動摘みの貫通穴の内側辺が、前記下板部の側にテーパ状の傾斜辺を有することを特徴とする。
【００１２】
また、本発明の請求項３の鞄用摘み錠は、請求項１又は２において、前記下板部の連結穴の内周縁がテーパ状に形成されたことを特徴とする。
【００１３】
また、本発明の請求項４の鞄用摘み錠は、請求項１、２又は３において、前記固定摘みと前記可動摘みの夫々の外側縁は、上下に長い形状であってその下方にて外方に湾曲してなる形状を有することを特徴とする。
【００１４】
さらに、本発明の請求項５の鞄用摘み錠は、請求項１、２、３又は４において、前記可動摘みに固定されたネジの頭部が前記係止金具の下板部に形成された案内溝内の範囲で移動することによって、前記可動摘みの移動範囲が規制されるようにしたことを特徴とする。
【発明の効果】
【００１５】
以上のように構成された本発明によれば、鞄の蓋部側の係止金具の連結穴のいずれかの挿通穴を鞄の本体側の係止座金に嵌め込む動作により、係止座金の頭部の丸み又はテーパ形状が可動摘みの内側辺の傾斜辺に沿って挿通され、このとき可動摘みはバネの弾性力に抗して内方へ押し込まれ、可動摘みの内側辺が係止座金の頭部を係止したロック状態にする。このような係止動作は、鞄の蓋部側の係止金具を本体側の係止座金に嵌め込むワンタッチの動作によって行うことができる。
【００１６】
また、固定摘みと可動摘みとを片手の指先で同時に摘むというワンタッチの動作により、可動摘みがバネの弾性力に抗して内方へ押し込まれ、このとき係止座金の頭部が可動摘みの内側辺の係止から解除され、蓋部側の係止金具を本体側の係止座金から離脱させることができる。
【００１７】
さらに、鞄の内部に収納された物品の高さによって、本体の上方に被さる鞄の蓋部の長さは自ずと調整され、係止金具の連結穴の何れかの挿通穴が本体側の係止座金の頭部に当接して係止されるため、係止金具の係止位置の調整をしなくても、鞄に収容された物品の高さによって自動的に係止金具の係止位置を変えて係止状態にすることができる。
【００１８】
また、係止金具の下板部側の連結穴の内周縁がテーパ状に形成されているため、係止座金の頭部はこのテーパ状の内周縁に沿って案内されつつ、何れかの挿通穴の内部に挿入されて係止状態とすることができる。
【発明を実施するための最良の形態】
【００１９】
以下、本発明の実施例について図面を参照しながら説明する。
【実施例１】
【００２０】
本発明による鞄用摘み錠１は、図１(a)又は(b)に示すように、鞄の蓋部２に固定した係止金具３を鞄の本体４に固定した係止座金５に係止するものである。図１(b)（図7参照）に示すように、鞄の本体４側の係止座金５は、頂部に丸み又はテーパ形状を有する頭部６と、該頭部６よりも小径であって該頭部６の下側に設けられた首部７とを有する。なお、係止座金５の頭部６のテーパ形状は、頭部６の上端周部に縁取りしたような傾斜を設けることによって形成してもよい。
【００２１】
また、この首部７の下端にはテーパ状の肩部８が形成され、その中央から下方に延長された取付軸９の上下には大径座金１０、１０が設けられ、上記の取付軸９を鞄の本体４に形成した孔１１に挿通すると共に、鞄の本体４の表裏面を大径座金１０、１０で挟んで取付軸９の下端をかしめることによって固定してある。
【００２２】
一方、図１(a)又は(b)に示すように、鞄の蓋部２に固定した係止金具３は、金属その他の材料により形成された薄型の本体から成り、上部の前側に凹み部１３を形成してあり、この凹み部１３に鞄の蓋部２の下端部を当て、また凹み部１３に形成した孔１４と鞄の蓋部２に形成した孔１５を用いて鋲１６等で固定してある。なお、この鋲１６等を用いて、係止金具３の上方に摘み片１２を設けてもよい。
【００２３】
また、図３に示すように、係止金具３は一側に固定摘み２０を有する。この固定摘み２０は、係止金具３の本体と一体的に形成され、後述する可動摘み２１の側縁２１ａと同様に上下に長い側縁２０ａを有する。これらの固定摘み２０と可動摘み２１の夫々の側縁２０ａ、２１ａは、上下に長い形状であってその下方において外方に湾曲した耳たぶのような形状を有する。このような形状によって、図４に示す矢印方向に、両側の固定摘み２０と可動摘み２１とを片手の指先で容易に摘むことができる。
【００２４】
さらに、図３に示すように、係止金具３の本体は上記の固定摘み２０の反対側に形成された開口２２（図１(ｂ)参照）から内方へ広がる隙間２３（図中の数字２３は隙間の内周形状を示す）を有し、該隙間２３で隔てられた上板部２４と下板部２５との相対位置に上記の係止座金５の頭部６を挿通し得る内径を有する複数の挿通穴２６が形成され、本実施例においては３個の挿通穴２６、２６…が鞄の蓋部２の長さ方向につながる三段状の連結穴２７として形成されている。
【００２５】
また、図３に示すように、上記の上板部２４と下板部２５との隙間２３内には固定摘み２０の近傍に至る範囲で可動摘み２１が移動可能に設けられている。この可動摘み２１は平板形状を有し、上記の固定摘み２０と同様に、側縁２１ａに上述した耳たぶのような形状を有する。また、可動摘み２１の内方には上記の連結穴２７を開放する範囲で形成された貫通穴２８が形成されている。
【００２６】
また、可動摘み２１は、隙間２３内にて、その内方側部の上下位置にバネ１９を設けてあり、このように内蔵されたバネ１９の弾性によって開口２２（図１(ｂ)参照）側へ付勢されるようにしている。ただし、係止金具3の裏面を示す図２のように、可動摘み２１に固定されたネジ１７の頭部が係止金具３の下板部２５に形成された横長の案内溝１８内の範囲で移動することによって可動摘み２１の移動が規制され、上記のようにバネ１９の弾性で開口２２側へと付勢された可動摘み２１を上記の固定摘み２０と同程度に外側に突出した構成としている。
【００２７】
上記の構成において、図３に示すように、可動摘み２１の貫通穴２８における固定摘み２０側の内側辺２９は、内蔵されたバネ１９の自然状態において、上記の連結穴２７の複数の挿通穴２６、２６…の側方一部を遮るように形成されている。
【００２８】
このような構成により、係止座金５の頭部６が係止金具３の連結穴２７の何れかの挿通穴２６に嵌り込んだ際に、係止座金５の頭部６が可動摘み２１の内側辺２９に係止される（図8の状態）。また、図４に示すように、固定摘み２０と可動摘み２１とを同時に摘むことにより、係止座金５の頭部６が可動摘み２１の内側辺２９の係止状態から解除される（図9の状態）。
【００２９】
また、図５に示すように、可動摘み２１の貫通穴２８の内側辺２９は、下板部２５側においてテーパ状の傾斜辺２９ａを有し、下板部２５側の連結穴２７を係止座金５の頭部６に挿通する際、係止座金５の頭部６の丸み又はテーパ形状が可動摘み２１の傾斜辺２９ａに沿って挿通されることにより、可動摘み２１はバネ１９の弾性力に抗して内方（図７の左方）へ押し込まれる。
【００３０】
なお、図２又は図7等に示すように、下板部２５の連結穴２７の内周縁２７ａがテーパ形状に形成され、図7に示すように、下板部２５側の連結穴２７を係止座金５の頭部６に挿通する際、係止座金５の頭部６は上記のテーパ形状に案内されて連結穴２７内に嵌合される。
【００３１】
上記のように構成された鞄用摘み錠１の使用上の動作について説明する。図７〜図９に示すように、鞄の蓋部２側の係止金具３を鞄の本体４側の係止座金５に係止するには、まず、図７に示すように、蓋部２側の係止金具３を本体４側の係止座金５の頭部６に当てるのであるが、鞄の内部に収納された物品の高さによって、本体４の上方に被さる鞄の蓋部２の長さは自ずと調整され、係止金具３の連結穴２７の何れかの挿通穴２６が本体４側の係止座金５の頭部６に当接する。
【００３２】
このとき、係止金具３の下板部２５側の連結穴２７の内周縁２７ａがテーパ状に形成されているため、このテーパ状の内周縁２７ａに沿って案内されつつ、係止座金５の頭部６が何れかの挿通穴２６の内部に挿入される。そして、係止金具３の各挿通穴２６の側方一部に突出した状態にある可動摘み２１の内側辺２９が本体４側の係止座金５の頭部６に当接すると、この頭部６の丸み又はテーパ形状が可動摘み２１の貫通穴２８の傾斜辺２９ａに接触し、バネ１９の弾性力に抗して可動摘み２１を内方（図７の左方）へ押し込むことによって、連結穴２７を完全に開放した状態にする。
【００３３】
これによって、図８に示すように、係止座金５の頭部６が連結穴２７の上方へ突出すると、それよりも小径の首部７が可動摘み２１の貫通穴２８に至り、バネ１９の弾性によって、この可動摘み２１は隙間２３の開口２２側に移動して内側辺２９が首部７内に嵌り、また内側辺２９の上面が係止座金５の頭部６を係止した状態にしてロック状態となる。
【００３４】
さらに、図9に示すように、固定摘み２０と可動摘み２１とを同時に摘むというワンタッチの動作により、可動摘み２１がバネ１９の弾性力に抗して内方（図９の左方）へ押し込まれることによって、係止座金５の頭部６が可動摘み２１の内側辺２９の係止から解除され、蓋部２側の係止金具3を本体4側の係止座金5から離脱させることができる。
【００３５】
なお、上記の動作において、例えば、鞄に収納された物品の高さが低い場合、図５に示すように、本体４側の係止座金５は、蓋部２側の係止金具３の最上方の挿通穴２６に係止される。また、鞄に収納された物品の高さが高い場合、図６に示すように、本体４側の係止座金５は、蓋部２側の係止金具３の最下方の挿通穴２６に係止される。
【００３６】
また、蓋部２側の係止金具３はある程度の重量を有し、これに鞄の蓋部４の重量が加わるため、可動摘み２１を押し込まなくても、蓋部２を閉じる際の付勢力だけで、係止金５の頭部６は、蓋部２側の係止金具３の連結穴２７のいずれかの挿通穴２６に嵌り、可動摘み２１の内側辺２９の傾斜辺２９ａに沿って押し入る結果、係止座金５の頭部６を可動摘み２１の内側辺２９に係止したロック状態にすることができる。
【産業上の利用可能性】
【００３７】
本発明は、蓋部を有する鞄であって、この蓋部に設けられた係止金具を鞄の本体に設けられた係止座金に係止して蓋を閉じ、その係止状態を堅固に保持し、さらにはその係止状態をワンタッチの摘み動作で解除して蓋を開けることができるものであるため、例えば、配達物を収容した際のように、蓋の開閉を頻繁に行うような鞄の用途に最適であり、また鞄の本体に収容した物品の高さに応じて蓋部の係止金具の係止位置を変え得る鞄としての使用が可能となる。
【図面の簡単な説明】
【００３８】
【図１】(a)は本発明による鞄用摘み錠の正面図であり、(b)はその右側面図（蓋部は断面で示す）である。
【図２】本発明による鞄用摘み錠の係止金具の背面図である。
【図３】本発明による鞄用摘み錠の係止金具を本体側の係止座金に係止した状態を示す正面図である。
【図４】本発明による鞄用摘み錠の係止金具を本体側の係止座金の係止状態から解除している正面図である。
【図５】本発明による鞄用摘み錠の係止金具を本体側の係止座金の最上方の連結穴に係止した状態を示す正面図である。
【図６】本発明による鞄用摘み錠の係止金具を本体側の係止座金の最下方の連結穴に係止した状態を示す正面図である。
【図７】本発明による鞄用摘み錠の係止金具を本体側の係止座金に当てた状態を示す部分断面図である。
【図８】本発明による鞄用摘み錠の係止金具を本体側の係止座金に係止した状態を示す部分断面図である。
【図９】本発明による鞄用摘み錠の係止金具を本体側の係止座金から解除している状態を示す部分断面図である。
【図１０】本発明による鞄用摘み錠の使用例を示す鞄の斜視図である。
【図１１】特許文献１の係止金具を使用した鞄の斜視図である。
【図１２】特許文献１の係止金具の断面図である。
【符号の説明】
【００３９】
１…鞄用摘み錠
２…鞄の蓋部
３…係止金具
４…鞄の本体
５…係止座金
６…頭部
７…首部
８…肩部
９…取付軸
１０…大径座金
１１…孔
１２…摘み片
１３…凹み部
１４…孔
１５…孔
１６…鋲
１７…ネジ
１８…案内溝
１９…バネ
２０…固定摘み
２１…可動摘み
２０ａ…側縁
２１ａ…側縁
２２…開口
２３…隙間（隙間の内周形状）
２４…上板部
２５…下板部
２６…挿通穴
２７…連結穴
２７ａ…内周縁
２８…貫通穴
２９…内側辺
２９ａ…傾斜辺
【図１】
2005323896.tif 000003
【図２】
2005323896.tif 000004
【図３】
2005323896.tif 000005
【図４】
2005323896.tif 000006
【図５】
2005323896.tif 000007
【図６】
2005323896.tif 000008
【図７】
2005323896.tif 000009
【図８】
2005323896.tif 000010
【図９】
2005323896.tif 000011
【図１０】
2005323896.tif 000012
【図１１】
2005323896.tif 000013
【図１２】
2005323896.tif 000014